【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】
送られてくるＡＶデータを受信する受信手段と、
受信した前記ＡＶデータを逐次記録しながら、同時に記録してから所定の時間が経過した前記ＡＶデータを逐次消去するバッファリングを行うバッファ手段と、
受信した前記ＡＶデータを再生する通常再生、または前記バッファ手段に記録されている前記所定時間分の前記ＡＶデータを再生するプレイバック再生を行う再生手段と、
前記バッファ手段が記録している前記ＡＶデータを保存する保存手段とを備え、
指示を受けると、前記再生手段は、前記通常再生を行うかまたは前記プレイバック再生を行うかを切り替え、
前記再生手段は、前記プレイバック再生が完了すると、前記通常再生を行い、
前記再生手段が前記プレイバック再生を行っている際に、指示を受けると、前記保存手段は、前記バッファ手段に記録されている前記ＡＶデータの全部または一部を保存することを特徴とするテレビジョン受像装置。
【請求項２】
前記再生手段が前記プレイバック再生を行っている際、前記バッファ手段は、前記バッファリングの凍結を行うことを特徴とする請求項１記載のテレビジョン受像装置。
【請求項３】
前記バッファリングの凍結とは、前記バッファ手段が受信した前記ＡＶデータの記録を停止し、記録済みの前記ＡＶデータを消去しないことであることを特徴とする請求項２記載のテレビジョン受像装置。
【請求項４】
前記再生手段が前記プレイバック再生を行っている際にも、前記バッファ手段は、前記バッファリングを継続して行うことを特徴とする請求項１記載のテレビジョン受像装置。
【請求項５】
前記再生手段が前記通常再生を行っている際に、指示を受けると、前記保存手段は、前記バッファ手段に記録されている前記ＡＶデータを保存することを特徴とする請求項１記載のテレビジョン受像装置。
【請求項６】
前記保存すべき一部は、保存開始指示がなされた時に前記プレイバック再生中の記録エリアの位置から、保存終了指示がなされた時の前記プレイバック再生中の記録エリアの位置までとして決定されることを特徴とする請求項１〜５のいずれかに記載のテレビジョン受像装置。
【請求項７】
前記ＡＶデータはディジタルデータとして送られてくることを特徴とする請求項１〜６のいずれかに記載のテレビジョン受像装置。
【請求項８】
前記ＡＶデータはＭＰＥＧ形式に準拠しており、
前記再生手段が前記プレイバック再生をおこなっている際に、指示を受けると、前記保存手段は、前記バッファ手段に記録されている前記ＡＶデータのＩフレームの全部または一部を記録することを特徴とする請求項７記載のテレビジョン受像装置。
【請求項９】
前記ＡＶデータはアナログデータとして送られてきており、
受信した前記ＡＶデータをディジタルデータに変換するエンコーダ手段を備え、
前記バッファ手段は、前記ディジタルデータに変換された前記ＡＶデータに対して前記バッファリングを行うことを特徴とする請求項１〜６のいずれかに記載のテレビジョン受像装置。
【請求項１０】
送られてくるＡＶデータを受信する受信手段と、
受信した前記ＡＶデータを逐次記録しながら、同時に記録してから所定の時間が経過した前記ＡＶデータを逐次消去するバッファリングを行うバッファ手段と、
受信した前記ＡＶデータを再生する通常再生、または前記バッファ手段に記録されている前記所定時間分の前記ＡＶデータを再生するプレイバック再生を行う再生手段とを備え、
指示を受けると、前記再生手段は、前記通常再生を行うかまたは前記プレイバック再生を行うかを切り替え、
前記バッファ手段は、複数個あることを特徴とするテレビジョン受像装置。
【請求項１１】
前記複数個のバッファ手段は、前記受信手段と並列に接続されており、
前記再生手段が前記複数個のバッファ手段のうちいずれかの前記バッファ手段を用いて前記プレイバック再生を行っている際、それ以外の前記バッファ手段は前記ＡＶデータに対して前記バッファリングを行っていることを特徴とする請求項１０記載のテレビジョン受像装置。
【請求項１２】
指示を受けると、前記複数個のバッファ手段は、前記受信手段と直列に接続するか、または並列に接続するかを切り替えることが出来、
前記複数個のバッファ手段が前記受信手段と直列に接続している場合は、前記複数個のバッファ手段が一つのバッファ手段のように機能し、前記プレイバック再生の時間が、並列に接続している場合に比較して長くなることを特徴とする請求項１１記載のテレビジョン受像装置。
【請求項１３】
前記複数個のバッファ手段に記録されている前記ＡＶデータを保存する保存手段を備え、
指示を受けると前記保存手段は、前記バッファ手段に記録されている前記ＡＶデータを保存することを特徴とする請求項１０〜１２のいずれかに記載のテレビジョン受像装置。
【請求項１４】
請求項１記載のテレビジョン受像装置の、送られてくるＡＶデータを受信する受信手段、
受信した前記ＡＶデータを逐次記録しながら、同時に記録してから所定の時間が経過した前記ＡＶデータを逐次消去するバッファリングを行うバッファ手段、
受信した前記ＡＶデータを再生する通常再生、または前記バッファ手段に記録されている前記所定時間分の前記ＡＶデータを再生するプレイバック再生を行う再生手段、
前記バッファ手段が記録している前記ＡＶデータを保存する保存手段としてコンピュータを機能させるためのプログラムを記録したプログラム記録媒体であって、コンピュータにより処理可能なプログラム記録媒体。
【請求項１５】
請求項１０記載のテレビジョン受像装置の、送られてくるＡＶデータを受信する受信手段、
受信した前記ＡＶデータを逐次記録しながら、同時に記録してから所定の時間が経過した前記ＡＶデータを逐次消去するバッファリングを行うバッファ手段、
受信した前記ＡＶデータを再生する通常再生、または前記バッファ手段に記録されている前記所定時間分の前記ＡＶデータを再生するプレイバック再生を行う再生手段としてコンピュータを機能させるためのプログラムを記録したプログラム記録媒体であって、コンピュータにより処理可能なプログラム記録媒体。
【手続補正２】
【補正対象書類名】明細書
【補正対象項目名】００１２
【補正方法】変更
【補正の内容】
【００１２】
切替スイッチ２９は、再生部１２に、ＴＶ受信部４から送られてくるＡＶデータを入力するか、リングバッファ領域２８に記録されているＡＶデータを入力するかを切り替えるスイッチである。
【手続補正３】
【補正対象書類名】明細書
【補正対象項目名】００５０
【補正方法】変更
【補正の内容】
【００５０】
また、第１４の本発明（請求項１４に対応）は、第１の本発明のテレビジョン受像装置の、送られてくるＡＶデータを受信する受信手段、
受信した前記ＡＶデータを逐次記録しながら、同時に記録してから所定の時間が経過した前記ＡＶデータを逐次消去するバッファリングを行うバッファ手段、
受信した前記ＡＶデータを再生する通常再生、または前記バッファ手段に記録されている前記所定時間分の前記ＡＶデータを再生するプレイバック再生を行う再生手段、
前記バッファ手段が記録している前記ＡＶデータを保存する保存手段としてコンピュータを機能させるためのプログラムを記録したプログラム記録媒体であって、コンピュータにより処理可能なプログラム記録媒体である。
また、第１５の本発明（請求項１５に対応）は、第１０の本発明のテレビジョン受像装置の、送られてくるＡＶデータを受信する受信手段、
受信した前記ＡＶデータを逐次記録しながら、同時に記録してから所定の時間が経過した前記ＡＶデータを逐次消去するバッファリングを行うバッファ手段、
受信した前記ＡＶデータを再生する通常再生、または前記バッファ手段に記録されている前記所定時間分の前記ＡＶデータを再生するプレイバック再生を行う再生手段としてコンピュータを機能させるためのプログラムを記録したプログラム記録媒体であって、コンピュータにより処理可能なプログラム記録媒体である。
【手続補正４】
【補正対象書類名】明細書
【補正対象項目名】００８４
【補正方法】変更
【補正の内容】
【００８４】
再生部１２は、リングバッファ領域８のＡＶデータを読み込み、デコードしてアナログ信号に変換する。
【手続補正５】
【補正対象書類名】明細書
【補正対象項目名】０１１３
【補正方法】変更
【補正の内容】
【０１１３】
再生部１２は、リングバッファ領域８のＡＶデータを読み込み、デコードしてアナログ信号に変換する。
【手続補正６】
【補正対象書類名】明細書
【補正対象項目名】０１２１
【補正方法】変更
【補正の内容】
【０１２１】
これを受けて、録画制御部５は、ＡＶデータのうち現在プレイバック再生されている部分を保存領域９にコピーすることを中止する。
【手続補正７】
【補正対象書類名】明細書
【補正対象項目名】０１４９
【補正方法】変更
【補正の内容】
【０１４９】
再生部１２は、リングバッファ領域８のＡＶデータを読み込み、デコードしてアナログ信号に変換する。
【手続補正８】
【補正対象書類名】明細書
【補正対象項目名】０１７４
【補正方法】変更
【補正の内容】
【０１７４】
録画制御部２４は、第１の実施の形態と同じくＡＶデータをＨＤＤ７に記録する手段であり、録画制御部５との相違点は、リングバッファ領域８ａとリングバッファ領域８ｂとに同時にＡＶデータを記録する並列型の記録と、リングバッファ領域８ａとリングバッファ領域８ｂとをあたかも一つのリングバッファ領域であるようにＡＶデータを記録する直列型の記録とを行うことが出来る。
【手続補正９】
【補正対象書類名】明細書
【補正対象項目名】０２０８
【補正方法】変更
【補正の内容】
【０２０８】
再生部１２は、リングバッファ領域８ａのＡＶデータを読み込み、デコードしてアナログ信号に変換する。